(57)【特許請求の範囲】
【請求項１】
音声出力アプリケーションプログラムを備え、表示部が設けられた第１の筐体と操作部が設けられた第２の筐体とが開閉可能な携帯情報端末であって、
前記第１の筐体と前記第２の筐体との開閉状態を検出する開閉状態検出手段と、
着脱自在の外部音声出力装置が接続される接続手段と、
前記接続手段への前記外部音声出力装置の接続状態を検出する接続状態検出手段と、
前記接続手段を介して前記外部音声出力装置に対して音声を出力する音声出力手段と、
前記開閉状態検出手段によって検出された前記第１の筐体と前記第２の筐体との開閉状態と、前記接続状態検出手段によって検出された前記外部音声出力装置の接続状態とに基づいて、前記音声出力アプリケーションプログラムによる音声データの前記音声出力手段からの音声出力の開始または音声出力の停止を制御する音声出力制御手段と
を具備し、
前記音声出力制御手段は、前記接続状態検出手段によって前記外部音声出力装置が接続されていると検出された状況で、前記開閉状態検出手段によって前記第１の筐体と前記第２の筐体とが閉じられたと検出された場合、前記音声出力アプリケーションプログラムに従って、音声データの前記音声出力手段からの音声出力を開始することを特徴とする携帯情報端末。
【請求項２】
前記接続状態検出手段によって前記外部音声出力装置が接続されていると検出された状況で、前記開閉状態検出手段によって前記第１の筐体と前記第２の筐体とが閉じられたと検出された場合、前記音声出力アプリケーションプログラムによって前記音声出力手段からの音声出力が行われているか一時停止されているかを判別する音声出力判別手段を具備し、
前記音声出力制御手段は、前記音声出力判別手段によって、前記音声出力手段からの音声出力が一時停止されていると判別されると、前記音声出力アプリケーションプログラムに従って、当該一時停止されている音声出力を再開することを特徴とする請求項１記載の携帯情報端末。
【請求項３】
前記接続状態検出手段によって外部音声出力装置が接続されていると検出された状況で、前記開閉状態検出手段によって前記第１の筐体と前記第２の筐体とが閉じられたと検出された場合、再生すべき音楽データが指定されているか否かを判別する音声データ指定判別手段を具備し、
前記音声出力制御手段は、前記音声データ指定判別手段によって、再生すべき音楽データが指定されていると判別された場合に、前記音声出力アプリケーションプログラムによる、再生すべき音声データの前記音声出力手段からの音声出力を開始することを特徴とする請求項１記載の携帯情報端末。
【請求項４】
前記接続状態検出手段によって前記外部音声出力装置が接続されていると検出された状況で、前記開閉状態検出手段によって前記第１の筐体と前記第２の筐体とが開かれたと検出された場合、前記音声出力アプリケーションプログラムによって前記音声出力手段からの音声出力が行われているか一時停止されているかを判別する音声出力判別手段を具備し、
前記音声出力制御手段は、前記音声出力判別手段によって、前記音声出力手段から音声出力が行われていると判別されると、前記音声出力アプリケーションプログラムに従って、再生すべき音声データの前記音声出力手段からの音声出力を一時停止することを特徴とする請求項１記載の携帯情報端末。
【請求項５】
コンピュータに、
表示部が設けられた第１の筐体と操作部が設けられた第２の筐体との開閉状態を検出する開閉状態検出機能、
着脱自在の外部音声出力装置の接続状態を検出する接続状態検出機能、
前記検出された前記第１の筐体と前記第２の筐体との開閉状態と、前記検出された前記外部音声出力装置の接続状態とに基づいて、音声出力アプリケーションプログラムによる音声データの音声出力の開始または音声出力の停止を制御する音声出力制御機能、
を実現させ、
前記音声出力制御機能は、前記接続状態検出機能によって前記外部音声出力装置が接続されていると検出された状況で、前記開閉状態検出機能によって前記第１の筐体と前記第２の筐体とが閉じられたと検出された場合、前記音声出力アプリケーションプログラムに従って、音声データの音声出力を開始することを特徴とする音声出力制御プログラム。
【発明の詳細な説明】
【技術分野】
【０００１】
本発明は、携帯情報端末および音声出力制御プログラムに関する。
【背景技術】
【０００２】
近年、様々なコンテンツを再生するために、それぞれのコンテンツのファイル形式に対応した、音楽再生アプリケーションプログラム、映像再生アプリケーションプログラム、テレビ放送受信アプリケーションプログラム等の音声出力機能を含む音声出力アプリケーションプログラム（以下、音声出力アプリケーションという）を備えた携帯電話が普及してきている。上記音声出力機能を周囲に気兼ねなく、かつ良好なサウンドで楽しむためにステレオイヤホン等を装着して楽しむことが多い。
【０００３】
この場合の操作は、まず、イヤホンを携帯電話のイヤホンジャックに差し込み、イヤホンを耳に差し込み、携帯電話の操作部を操作して所望する音声出力アプリケーションを起動し、起動した音声出力アプリケーション内で所望する記録情報を再生させる／あるいは所望するチャネルを受信するといった操作手順が必要になる。
【０００４】
そこで、上述した操作を簡略化することで、ユーザにとっての使い勝手を向上させるための技術が提案されている。例えば、ヘッドホンジャックにヘッドホン（のプラグ）が挿入された際、あるいは抜かれた際にスピーカの音量レベルを制御する技術が知られている（例えば、特許文献１参照）。また、音楽テープ等の再生装置に限定すると、従来技術として、ヘッドホンが人体に装着されたことを検出して音楽再生を自動的に行う技術が知られている（例えば、特許文献２参照）。
【特許文献１】特開平１０−１４５８８４号公報
【特許文献２】特開平５−６２２９０号公報
【発明の開示】
【発明が解決しようとする課題】
【０００５】
しかしながら、上記特許文献１の従来技術では、ヘッドホンが挿入されたか抜かれたかでスピーカの音量レベルを制御するだけで、映像再生やテレビ放送受信などについては対応していないという問題があった。また、上記特許文献２の従来技術では、ヘッドホンが人体に装着されたか否かを電気抵抗で検出する専用の検出手段をヘッドホンの耳当て部に設ける必要があり、通常のヘッドホンを用いることができないという問題がある。また、音楽テープ等の再生のみを行う再生専用装置に限定されており、他の映像再生やテレビ放送受信などについては対応していないという問題があった。
【０００６】
そこで本発明は、外部音声出力装置の接続状態に応じて、音声出力アプリケーションプログラムによる音声出力をより少ない操作で容易に制御することができる音声携帯情報端末および音声出力制御プログラムを提供することを目的とする。
【課題を解決するための手段】
【００１６】
また、上記目的達成のため、請求項１記載の発明による携帯情報端末は、音声出力アプリケーションプログラムを備え、表示部が設けられた第１の筐体と操作部が設けられた第２の筐体とが開閉可能な携帯情報端末であって、前記第１の筐体と前記第２の筐体との開閉状態を検出する開閉状態検出手段と、着脱自在の外部音声出力装置が接続される接続手段と、前記接続手段への前記外部音声出力装置の接続状態を検出する接続状態検出手段と、前記接続手段を介して前記外部音声出力装置に対して音声を出力する音声出力手段と、前記開閉状態検出手段によって検出された前記第１の筐体と前記第２の筐体との開閉状態と、前記接続状態検出手段によって検出された前記外部音声出力装置の接続状態とに基づいて、前記音声出力アプリケーションプログラムによる音声データの前記音声出力手段からの音声出力の開始または音声出力の停止を制御する音声出力制御手段とを具備し、前記音声出力制御手段は、前記接続状態検出手段によって前記外部音声出力装置が接続されていると検出された状況で、前記開閉状態検出手段によって前記第１の筐体と前記第２の筐体とが閉じられたと検出された場合、前記音声出力アプリケーションプログラムに従って、音声データの前記音声出力手段からの音声出力を開始することを特徴とする。
【００１８】
また、好ましい態様として、例えば請求項２記載のように、請求項１記載の携帯情報端末において、前記接続状態検出手段によって前記外部音声出力装置が接続されていると検出された状況で、前記開閉状態検出手段によって前記第１の筐体と前記第２の筐体とが閉じられたと検出された場合、前記音声出力アプリケーションプログラムによって前記音声出力手段からの音声出力が行われているか一時停止されているかを判別する音声出力判別手段を具備し、前記音声出力制御手段は、前記音声出力判別手段によって、前記音声出力手段からの音声出力が一時停止されていると判別されると、前記音声出力アプリケーションプログラムに従って、当該一時停止されている音声出力を再開するようにしてもよい。
【００１９】
また、好ましい態様として、例えば請求項３記載のように、請求項１記載の携帯情報端末において、前記接続状態検出手段によって外部音声出力装置が接続されていると検出された状況で、前記開閉状態検出手段によって前記第１の筐体と前記第２の筐体とが閉じられたと検出された場合、再生すべき音楽データが指定されているか否かを判別する音声データ指定判別手段を具備し、前記音声出力制御手段は、前記音声データ指定判別手段によって、再生すべき音楽データが指定されていると判別された場合に、前記音声出力アプリケーションプログラムによる、再生すべき音声データの前記音声出力手段からの音声出力を開始するようにしてもよい。
【００２０】
また、好ましい態様として、例えば請求項４記載のように、請求項１記載の携帯情報端末において、前記接続状態検出手段によって前記外部音声出力装置が接続されていると検出された状況で、前記開閉状態検出手段によって前記第１の筐体と前記第２の筐体とが開かれたと検出された場合、前記音声出力アプリケーションプログラムによって前記音声出力手段からの音声出力が行われているか一時停止されているかを判別する音声出力判別手段を具備し、前記音声出力制御手段は、前記音声出力判別手段によって、前記音声出力手段から音声出力が行われていると判別されると、前記音声出力アプリケーションプログラムに従って、再生すべき音声データの前記音声出力手段からの音声出力を一時停止するようにしてもよい。
【００２３】
また、上記目的達成のため、請求項５記載の発明による音声出力制御プログラムは、コンピュータに、表示部が設けられた第１の筐体と操作部が設けられた第２の筐体との開閉状態を検出する開閉状態検出機能、着脱自在の外部音声出力装置の接続状態を検出する接続状態検出機能、前記検出された前記第１の筐体と前記第２の筐体との開閉状態と、前記検出された前記外部音声出力装置の接続状態とに基づいて、音声出力アプリケーションプログラムによる音声データの音声出力の開始または音声出力の停止を制御する音声出力制御機能、を実現させ、前記音声出力制御機能は、前記接続状態検出機能によって前記外部音声出力装置が接続されていると検出された状況で、前記開閉状態検出機能によって前記第１の筐体と前記第２の筐体とが閉じられたと検出された場合、前記音声出力アプリケーションプログラムに従って、音声データの音声出力を開始することを特徴とする。
【発明の効果】
【００３３】
また、請求項１および請求項５記載によれば、音声出力制御手段によって、開閉状態検出手段によって検出された第１の筐体と第２の筐体との開閉状態と、接続状態検出手段によって検出された外部音声出力装置の接続状態とに基づいて、音声出力アプリケーションプログラムによる音声データの音声出力手段からの音声出力の開始または音声出力の停止を制御し、外部音声出力装置が接続されていると検出された状況で、第１の筐体と第２の筐体とが閉じられたと検出された場合、音声出力アプリケーションプログラムに従って、音声データの音声出力を開始するようにしたので、何ら特別な操作を必要とすることなく、筐体の開閉状態と外部音声出力装置の接続状態とに応じて、再生すべき音声データの音声出力の開始および停止を制御することができるという利点が得られる。
【００３７】
また、請求項１４記載によれば、接続状態検出手段によって外部音声出力装置が接続されていると検出された状況で、開閉状態検出手段によって第１の筐体と第２の筐体とが開かれたと検出された際に、音声出力手段から音声出力が行われていると判別された場合、音声出力制御手段により、音声出力アプリケーションプログラムに従って、再生すべき音声データの音声出力手段からの音声出力を一時停止するようにしたので、筐体を閉じるだけで音声データの音声出力一時停止させることができるという利点が得られる。
【発明を実施するための最良の形態】
【００３８】
以下、本発明の実施の形態を、図面を参照して説明する。
【００３９】
Ａ．第１実施形態
Ａ−１．第１実施形態の構成
図１は、本発明の第１実施形態による携帯電話の構成を示すブロック図である。図において、電話通信部１は、他の携帯電話との間におけるデータのやり取りや、音声通話のための通信処理を行う。テレビ受信部２は、アンテナによって受信された放送信号から、所望のチャンネルに対応したテレビ信号を出力する。キー操作部３は、テンキーやファンクションキー等からなり、電話番号その他の情報を入力する入力部であり、携帯電話の電源をＯＮ／ＯＦＦするとき、各種アプリケーションを起動する時など、ユーザが携帯電話に入力を与える際に使用するものである。
【００４０】
次に、メモリ４は、例えば、ＲＯＭ（Read Only Memory）やＲＡＭ（Random Access Memory）等で構成され、携帯電話で扱うデータやソフトウェアなどを記憶する。特に、本第１実施形態では、メモリ４には、図２に示すように、音声再生アプリケーションとして、音楽再生アプリケーション４−１、映像再生アプリケーション４−２、テレビ放送受信アプリケーション４−３が記憶されている。音楽再生アプリケーション４−１は、様々なフォーマット形式の音楽データを再生（音声出力）する。映像再生アプリケーション４−２は、映像データと音声データとからなる、様々なフォーマット形式の映像ファイルを再生（音声出力）する。また、テレビ放送受信アプリケーション４−３は、テレビ受信部２により受信された受信チャネルのテレビ信号（音声データを含む）を再生（音声出力）する。
【００４１】
録画部５は、ＣＰＵ１６から録画命令を受け取ると、テレビ受信部２により受信されたテレビ信号を録画するためのエンコード処理等を行う。記憶部６および記録メディア７は、音楽データや、映像データ、上記録画部５により録画されたテレビ放送データ（録画データ：映像データおよび音声データを含む）などを保存する。なお、記録メディア７は、着脱可能な記録媒体からなる。
【００４２】
映像出力部８は、ＣＰＵ１６から再生命令を受け取ると、テレビ受信部２により受信されたテレビ信号や、記憶部６または記録メディア７に保存された映像データ等をデコードして表示部９に出力する。表示部９は、例えば、ＬＣＤ（Liquid Crystal
Display）や有機ＥＬ（Electroluminescence）等で構成され、映像出力部８により出力される映像データを再生表示する。その他、表示部９は、例えば、電源状態、電波強度、電池残量、サーバ接続状態もしくは未読メール等の動作状態、入力した電話番号、メール宛先、メール送信文書等や、動画および静止画、着信時の発呼者の電話番号、着信メール文書、接続されたインターネット画面等の受信データの表示、また、携帯電話の機能を利用するために必要な画面を表示する。
【００４３】
音声出力部１０は、ＣＰＵ１６から再生命令を受け取ると、テレビ受信部２により受信したテレビ信号に含まれる音声データや、記憶部６または記録メディア７に保存された音楽データや音声データ等を読み出し、デコードしてアンプ１１、１２を介して内蔵スピーカ１３およびイヤホンジャック１４に出力する。イヤホンジャック１４には、イヤホンやヘッドホン、外部スピーカなどの外部音声出力装置が装着される。装着検出部１５は、イヤホンジャック１４に外部音声出力装置が装着されたことを検出してＣＰＵ１６に通知する。
【００４４】
ＣＰＵ１６は、メモリ４に記憶されたプログラムに基づいて各部の動作を制御する。特に、本第１実施形態では、装着検出部１５によりイヤホンジャック１４に外部音声出力装置が装置されたことが検出されると、ＣＰＵ１６は、起動している音声再生アプリケーションに従って音声出力を開始するように各部を制御する。このとき、再生対象となるファイルが指定されていない場合には、ＣＰＵ１６は、その音声再生アプリケーションに対応する再生ファイルのリストを表示し、選択された再生ファイルを再生開始するように各部制御する。また、ＣＰＵ１６は、音声再生アプリケーションがテレビ放送受信アプリケーションである場合には、受信チャネルの選択、選択された受信チャネルの音声出力を行うよう各部を制御する。
【００４５】
Ａ−２．第１実施形態の動作
次に、上述した第１実施形態の動作について説明する。ここで、図３は、本第１実施形態による携帯電話の動作を説明するためのフローチャートである。図において、まず、着信を待つ待受け画面を表示する（ステップＳ１０）。待受け画面において、着信があったか否かを判断し（ステップＳ１２）、着信があった場合には、着信に対応した処理（メール受信、通話など）を行い（ステップＳ１４）、その後、待受け画面の表示へ戻る。
【００４６】
一方、待受け画面において、着信がない場合には、イヤホン接続に変化があったか否か、すなわちイヤホンジャック１４に外部音声出力装置が挿入されたか、挿入されていた外部音声出力装置が抜かれたかを判断する（ステップＳ１６）。そして、イヤホン接続に変化がなかった場合には、キー操作部３での操作があったか否かを判断する（ステップＳ１８）。ここで、操作があった場合には、操作に対応した処理を行い（ステップＳ２０）、その後、ステップＳ１０へ戻り、待受け画面の表示へ移行する。一方、操作がない場合には、そのままステップＳ１０へ戻り、待受け画面の表示へ移行する。
【００４７】
一方、ステップＳ１６で、イヤホン接続に変化があった場合には、イヤホンジャック１４にイヤホンやスピーカなどの外部音声出力装置が接続されたか否かを判断する（ステップＳ２２）。そして、接続されない場合、すなわちイヤホンジャック１４から外部音声出力装置が抜かれた場合には、音声再生中であるか判断し（ステップＳ２４）、再生中であれば、音声再生を停止し（ステップＳ２６）、その後、ステップＳ１０へ戻り、待受け画面の表示へ移行する。
【００４８】
このように、特別な操作を行うことなく、イヤホンジャック１４から外部音声出力装置を抜くだけで音声再生を停止するので、内蔵スピーカ１３から音声が出力されて周囲に迷惑をかけることがない。特に、ユーザの意図に関係なく、不用意にイヤホンが抜けてしまうという状況はあり得る。このような場合でも、内蔵スピーカ１３からは音声が出力されないので周囲に迷惑をかけることがない。
【００４９】
一方、イヤホンジャック１４に外部音声出力装置が接続された場合には、音楽再生アプリケーション４−１、映像再生アプリケーション４−２、テレビ放送受信アプリケーション４−３等の音声出力機能を含む音声出力アプリケーションが起動中であるか否かを判断する（ステップＳ２８）。そして、これらの音声出力アプリケーションが起動中でなければ、ステップＳ１０に戻り、待受け画面の表示へ移行する。
【００５０】
一方、音声出力アプリケーションが起動中であれば、該音声出力アプリケーションが音楽再生アプリケーション４−１、映像再生アプリケーション４−２などの再生アプリケーションであるか否かを判断する（ステップＳ３０）。そして、再生アプリケーションであった場合には、再生対象となるファイルが指定されているか否かを判断する（ステップＳ３２）。そして、再生対象となるファイルが指定されている場合には、再生を開始してよいかを確認する旨の再生確認メッセージを表示部９に表示し（ステップＳ３４）、ＯＫボタンが押下されたか否かを判断する（ステップＳ３６）。そして、ＯＫボタンが押下されると、再生対象となるファイルの再生を開始する（ステップＳ４２）。
【００５１】
一方、ステップＳ３２で、再生対象となるファイルが指定されていない場合には、再生アプリケーションに対応するファイルのリストを表示部９に表示する（ステップＳ３８）。次いで、リストの中から再生対象となるファイルを選択させ（ステップＳ４０）、選択されたファイルの再生を開始する（ステップＳ４２）。
【００５２】
また、ステップＳ３０で、起動中のアプリケーションが音楽再生アプリケーション４−１、映像再生アプリケーション４−２などの再生アプリケーションでない場合、すなわちテレビ放送受信アプリケーション４−３が起動中であった場合には、テレビ受信部２により受信可能な全チャネルの中から所望する受信チャネルを選択させ（ステップＳ４４）、選択された受信チャネルの音声を出力する（ステップＳ４６）。
【００５３】
上述した第１実施形態によれば、外部音声出力装置が接続された際、当該装置に搭載されている音声出力アプリケーションが起動しているか判断し、音声出力アプリケーションが起動している場合には、その音声出力アプリケーションによって音声出力を開始するようにしたので、音声を聞くために通常の外部音声出力装置を当該装置に接続するだけで、何ら操作を必要とすることなく、再生対象のファイルの音声出力を開始することができる。
【００５４】
このとき、再生対象のファイルが予め指定されていない場合には、再生対象となるファイルの候補を一覧表示し、いずれかのファイルが選択されると、当該装置に搭載されている音声出力アプリケーションによってそのファイルの音声出力を自動的に開始するようにしたので、より少ない操作で所望するファイルの音声出力を開始することができる。
【００５５】
また、音声出力の開始に先立って、再生開始を確認するための確認メッセージを表示し、確認指示があった時点で音声出力を開始するようにしたので、ユーザがイヤホンなどの外部音声出力装置をイヤホンジャック１４へ差し込み、その後、イヤホンを耳に差し込む等、ユーザ側の準備時間を考慮して音声出力することができ、利便性を向上させることができる。
【００５６】
Ｂ．第２実施形態
次に、本発明の第２実施形態について説明する。なお、携帯電話の構成は、図１と同様であるので説明を省略する。
Ｂ−１．第２実施形態の動作
次に、上述した第２実施形態の動作について説明する。ここで、図４は、本第２実施形態による携帯電話の動作を説明するためのフローチャートである。図において、まず、着信を待つ待受け画面を表示する（ステップＳ５０）。待受け画面において、着信があったか否かを判断し（ステップＳ５２）、着信があった場合には、着信に対応した処理（メール受信、通話など）を行い（ステップＳ５４）、その後、待受け画面の表示へ戻る。
【００５７】
一方、待受け画面において、着信がない場合には、イヤホン接続に変化があったか否か、すなわちイヤホンジャック１４にイヤホンや外部スピーカなどの外部音声出力装置（のプラグ）が挿入されるか、挿入されていた外部音声出力装置が抜かれたかを判断する（ステップＳ５６）。そして、イヤホン接続に変化がなかった場合には、キー操作部３での操作があったか否かを判断する（ステップＳ５８）。ここで、操作があった場合には、操作に対応した処理を行い（ステップＳ６０）、その後、ステップＳ５０へ戻り、待受け画面の表示へ移行する。一方、操作がない場合には、そのままステップＳ５０へ戻り、待受け画面の表示へ移行する。
【００５８】
一方、ステップＳ５６で、イヤホン接続に変化があった場合には、イヤホンジャック１４にイヤホンやスピーカなどの外部音声出力装置が接続されたか否かを判断する（ステップＳ６２）。そして、接続されない場合、すなわちイヤホンジャック１４から外部音声出力装置が抜かれた場合には、音声再生出力を停止し（ステップＳ６４）、その後、音楽再生アプリケーション４−１、映像再生アプリケーション４−２、テレビ放送受信アプリケーション４−３等の音声出力機能を含む音声出力アプリケーションを終了し（ステップＳ６６）、ステップＳ５０へ戻り、待受け画面の表示へ移行する。
【００５９】
このように、特別な操作を行うことなく、イヤホンジャック１４からイヤホンなどの外部音声出力装置を抜くだけで音声再生を停止した後、音声出力アプリケーションを終了するので、内蔵スピーカ１３から音声が出力されて周囲に迷惑をかけることがない。特に、ユーザの意図に関係なく、不用意にイヤホンが抜けてしまうという状況はあり得る。このような場合でも、内蔵スピーカ１４からは音声が出力されないので周囲に迷惑をかけることがない。
【００６０】
一方、イヤホンジャック１４に外部音声出力装置が挿入された場合には、予め指定された音声出力アプリケーションがあるか否かを判断する（ステップＳ６８）。そして、予め音声出力アプリケーションが指定されていなければ、音声出力アプリケーションとして、音楽再生アプリケーション４−１、映像再生アプリケーション４−２、テレビ放送受信アプリケーション４−３などの音声出力アプリケーションの候補リストを表示し（ステップＳ７０）、ユーザにいずれかの音声出力アプリケーションを指定させる（ステップＳ７２）。
【００６１】
音声出力アプリケーションが指定された後、あるいは音声出力アプリケーションが予め指定されている場合には、その指定された音声出力アプリケーションを起動する（ステップＳ７４）。次いで、該音声出力アプリケーションに対応する再生可能なファイル（テレビ受信の場合、受信チャネルを含む）のリストを表示部９に表示し（ステップＳ７６）、リストの中から再生対象となるファイルを選択させ（ステップＳ７８）、選択されたファイルの再生（音声出力）を開始する（ステップＳ８０）。再生終了後は、ステップＳ５０へ戻り、待受け画面の表示へ移行する。
【００６２】
例えば、音声出力アプリケーションとして、音楽再生アプリケーション４−１が指定された場合には、該音楽再生アプリケーション４−１で再生可能な音声ファイルのリストを表示し、その中から選択された音声ファイルを再生（音声出力）する。また、音声出力アプリケーションとして、映像再生アプリケーション４−２が指定された場合には、該映像再生アプリケーション４−２で再生可能な映像ファイル（音声データを含む）のリストを表示し、その中から選択された映像ファイル（音声データを含む）を再生（音声出力）する。さらに、音声出力アプリケーションとして、テレビ放送受信アプリケーション４−３が指定された場合には、該テレビ放送受信アプリケーション４−３で再生可能なファイル、この場合、テレビ受信部２により受信可能な全チャネルの中から所望する受信チャネルを選択させ、選択された受信チャネルの音声を出力する。
【００６３】
上述した第２実施形態によれば、外部音声出力装置が接続された際に、予め指定されている音声出力アプリケーションを自動的に起動し、その音声出力アプリケーションによって音声出力を開始するようにしたので、音声を聞くために通常の外部音声出力装置を当該装置に接続するだけで、何ら操作を必要とすることなく、再生対象のファイルの音声出力を開始することができる。
【００６４】
このとき、音声出力アプリケーションが予め指定されていない場合には、当該装置に搭載されている音声出力アプリケーションの候補を一覧表示し、いずれかの音声出力アプリケーションが選択されると、該選択された音声出力アプリケーションによって音声出力を自動的に開始するようにしたので、より少ない操作で所望するファイルの音声出力を開始することができる。
【００６５】
また、再生対象のファイルが予め指定されていない場合には、再生対象となるファイル（テレビ受信の場合、受信チャネルを含む）の候補を一覧表示し、いずれかのファイルが選択されると、当該装置に搭載されている音声出力アプリケーションによってそのファイル（テレビ受信の場合、受信チャネルを含む）の音声出力を自動的に開始するようにしたので、より少ない操作で所望するファイルの音声出力を開始することができる。
【００６６】
Ｃ．第３実施形態
次に、本発明の第３実施形態について説明する。
Ｃ−１．第３実施形態の構成
図５は、本第３実施形態による携帯電話の外観を示す模式図である。図において、本第３実施形態による携帯電話は、表示部等が設けられた蓋部３０とキー操作部等が設けられた本体部３１とからなり、通話時や、メール送受信時、各種設定時などには、蓋部３０を開けて操作し、音声再生時には、蓋部３０を閉じるような形態をとる。蓋部３０の閉じ方には様々な形態があるが、例えば、図５に示すように、蓋部３０を本体部３１側に重ねて閉じる二つ折りタイプ、あるいは図示しないが、蓋部３０を２軸方向に回転させて蓋部３０を本体部３１に重ねて閉じるタイプや、蓋部３０を本体部３１内にスライド収納するタイプなどがある。
【００６７】
図６は、本第３実施形態による携帯電話の構成を示すブロック図である。なお、図１に対応する部分には、同一の符号を付けて説明を省略する。図４において、筐体開閉検出部１７は、携帯電話の筐体（蓋部）の開閉を検出し、開閉状態をＣＰＵ１６に通知する。
【００６８】
Ｃ−２．第３実施形態の動作
次に、本第３実施形態について説明する。ここで、図７は、本第３実施形態による携帯電話の動作を説明するためのフローチャートである。図において、まず、着信を待つ待受け画面を表示する（ステップＳ９０）。待受け画面において、着信があったか否かを判断し（ステップＳ９２）、着信があった場合には、着信に対応した処理（メール受信、通話など）を行い（ステップＳ９４）、その後、待受け画面の表示へ戻る。
【００６９】
一方、待受け画面において、着信がない場合には、筐体開閉があった否かを判断し（ステップＳ９６）、筐体開閉がなかった場合には、キー操作部３での操作があったか否かを判断する（ステップＳ９８）。ここで、操作があった場合には、操作に対応した処理を行い（ステップＳ１００）、その後、ステップＳ９０へ戻り、待受け画面の表示へ移行する。一方、操作がない場合には、そのままステップＳ９０へ戻り、待受け画面の表示へ移行する。
【００７０】
一方、筐体開閉があった場合には、イヤホン接続があったか否か、すなわちイヤホンジャック１４にイヤホンや外部スピーカなどの外部音声出力装置（のプラグ）が接続されたか否かを判断する（ステップＳ１０２）。そして、筐体開閉があったものの、イヤホン接続がなかった場合には、キー操作部３での操作があったか否かを判断する（ステップＳ９８）。ここで、何らかの操作があった場合には、操作に対応した処理を行い（ステップＳ１００）、その後、ステップＳ９０へ戻り、待受け画面の表示へ移行する。一方、操作がない場合には、そのままステップＳ９０へ戻り、待受け画面の表示へ移行する。
【００７１】
これに対して、筐体開閉があり、かつ、イヤホン接続があった場合には、筐体（蓋部）が閉じられていた状態から開いた状態になったか否かを判断する（ステップＳ１０４）。そして、筐体（蓋部）が開いた状態になった場合には、音声再生中であるか否かを判断し（ステップＳ１０６）、音声再生中であった場合には、音声再生を一時停止する（ステップＳ１０８）。その後、ステップＳ９０へ戻り、待受け画面の表示へ移行する。すなわち、イヤホンジャック１４に外部音声出力装置が接続されている状態で、筐体（蓋部）が開かれた場合には、音声再生以外の操作が行われる可能性が高いので、それまでの音声再生を停止する。なお、音声再生中でない場合には、そのままステップＳ９０へ戻り、待受け画面の表示へ移行する。
【００７２】
このように、イヤホンジャック１４に外部音声出力装置が接続されている場合には、何らかの操作（例えば電話をかける、メールを書くなど）をすべく筐体（蓋部）を開けるだけで音声再生を停止するので、いちいち音声停止するための操作を行う必要がない。
【００７３】
一方、イヤホンジャック１４に外部音声出力装置が接続されている状態で、筐体（蓋部）が閉じられた場合には、音声再生が一時停止中であるか否かを判断する（ステップＳ１１０）。そして、音声再生が一時停止中である場合には、一時停止中の音声再生を再開する（ステップＳ１１２）。すなわち、イヤホンジャック１４に外部音声出力装置が接続されている状態で、筐体（蓋部）が閉じられた場合には、音声再生に復帰したと考えられるので、一時停止中であった音声再生を再開する。その後、ステップＳ９０へ戻り、待受け画面の表示へ移行する。
【００７４】
一方、イヤホンジャック１４に外部音声出力装置が接続されている状態で、筐体（蓋部）が閉じられたものの、音声再生が一時停止中でない場合には、再生対象となるファイル（テレビ受信の場合、受信チャネルを含む）が指定されているかを判断する（ステップＳ１１４）。そして、再生対象となるファイルが指定されていない場合には、ステップＳ９０へ戻り、待受け画面の表示へ移行する。
【００７５】
一方、再生対象となるファイルが指定されている場合には、指定されている再生対象のファイルに対応する音声再生アプリケーションを起動し（ステップＳ１１６）、該音声再生アプリケーションで再生対象のファイルの音声再生を開始する（ステップＳ１１８）。その後、ステップＳ９０へ戻り、待受け画面の表示へ移行する。
【００７６】
例えば、音楽などの音声ファイルが指定されている場合には、音楽再生アプリケーション４−１を起動して再生（音声出力）する。また、映像ファイル（音声データを含む）が指定されている場合には、映像再生アプリケーション４−２を起動して再生（音声出力）する。さらに、該テレビ放送受信アプリケーションで再生可能なファイル、この場合、テレビ受信部により受信可能な受信チャネルが指定されている場合には、テレビ放送受信アプリケーション４−３を起動して選択された受信チャネルの音声を出力する。
【００７７】
上述した第３実施形態によれば、筐体（蓋部）が開閉可能な携帯電話において、筐体（蓋部）が開閉された際、外部音声出力装置の接続状態を判別し、外部音声出力装置が接続されている場合、筐体（蓋部）が開閉状態に応じて音声出力の開始／停止を制御するようにしたので、何ら特別な操作を必要とすることなく、筐体（蓋部）の開閉だけで再生対象のファイルの音声出力の開始／停止／再開を制御することができる。
【００７８】
また、外部音声出力装置が接続されている状態で、筐体（蓋部）が開けられた場合、音声再生中であれば、音声再生を一時停止する一方、筐体（蓋部）が閉じられた場合には、一時停止中の音声再生を再開するようにしたので、筐体（蓋部）の開閉だけで、何ら特別な操作を必要とすることなく、再生対象のファイルの音声出力の一時停止／再生再開を制御することができる。
【００７９】
また、外部音声出力装置が接続されている状態で、筐体（蓋部）が閉じられた際に、音声再生中でなければ、予め指定されている再生対象のファイル（テレビ受信の場合、受信チャネルを含む）に対応する音声再生アプリケーションを起動して音声出力を開始するようにしたので、より少ない操作で所望するファイルの音声出力を自動的に開始することができる。
【図面の簡単な説明】
【００８０】
【図１】本発明の第１実施形態による携帯電話の構成を示すブロック図である。
【図２】メモリ４に記憶されている音声再生アプリケーションを示す概念図である。
【図３】本第１実施形態による携帯電話の動作を説明するためのフローチャートである。
【図４】本第２実施形態による携帯電話の動作を説明するためのフローチャートである。
【図５】本第３実施形態による携帯電話の外観を示す模式図である。
【図６】本第３実施形態による携帯電話の構成を示すブロック図である。
【図７】本第３実施形態による携帯電話の動作を説明するためのフローチャートである。
【符号の説明】
【００８１】
１  電話通信部
２  テレビ受信部
３  キー操作部
４  メモリ（アプリケーション記憶手段）
４−１  音声再生アプリケーション
４−２  映像再生アプリケーション
４−３  テレビ放送受信アプリケーション
５  録画部
６  記憶部（音声データ記憶手段）
７  記録メディア（音声データ記憶手段）
８  映像出力部
９  表示部（表示手段）
１０  音声出力部（音声出力手段）
１１、１２  アンプ
１３  内蔵スピーカ
１４  イヤホンジャック（接続手段）
１５  装着検出部（接続状態検出手段）
１６  ＣＰＵ（音声出力制御手段、起動判別手段、音声データ指定判別手段、音楽データ一覧表示手段、音楽データ選択手段、確認メッセージ表示制御手段、起動手段、アプリケーション指定判別手段、アプリケーション一覧表示手段、アプリケーション選択手段、音声出力判別手段）
１７  筐体開閉検出部（開閉状態検出手段）
３０  蓋部（第１の筐体）
３１  本体部（第２の筐体）
【図１】
0004698349.tif 000002
【図２】
0004698349.tif 000003
【図３】
0004698349.tif 000004
【図４】
0004698349.tif 000005
【図５】
0004698349.tif 000006
【図６】
0004698349.tif 000007
【図７】
0004698349.tif 000008